(57)【要約】【課題】器具全体の重量が軽量化され、外観上も温かみがあり、デザイン性に優れ、ペダルを漕ぎ始める際に脚部にかかる感触が柔らかいペダル式トレーニング器具の提供を目的とする。【解決手段】ペダル式トレーニング器具１は、サドル部５とハンドル部４を支持する基台部２に、該基台部２を貫通するクランク軸１１が回動自在に軸支され、クランク軸１１の両端に一対のペダル部３，３が設けられたペダル式トレーニング器具１において、少なくともペダル部３，３が木材で構成されているものである。【選択図】図１
2007289241.tif 000002
【特許請求の範囲】
【請求項１】
サドル部とハンドル部を支持する基台部に、該基台部を貫通するクランク軸が回動自在に軸支され、クランク軸の両端に一対のペダル部が設けられたペダル式トレーニング器具において、少なくともペダル部が木材で構成されていることを特徴とするペダル式トレーニング器具。
【請求項２】
サドル部が、サドルと、該サドルと基台部との間に介設されるサドル支持部とから構成され、サドル支持部、基台部、及びハンドル部が木材で構成されていることを特徴とする請求項１に記載のペダル式トレーニング器具。
【請求項３】
基台部が、前後に離間配置された前部材及び後部材と、前部材と後部材とを連結する連結部材と、連結部材上に立設された基台プレートとから構成され、更に、ハンドル部が、ハンドルと、該ハンドルと基台部との間に介設されるハンドル支持部とから構成され、基台部の連結部材及びハンドル部のハンドル支持部とが木材の積層材で構成されていることを特徴とする請求項１または請求項２に記載のペダル式トレーニング器具。
【請求項４】
基台部が、前後に離間配置された前部材及び後部材と、前部材と後部材とを連結する連結部材と、連結部材上に立設された基台プレートとから構成され、該連結部材に上向きに湾曲した湾曲部が設けられていることを特徴とする請求項１から請求項３のいずれか一項に記載のペダル式トレーニング器具。
【請求項５】
基台部が、前後に離間配置された前部材及び後部材と、前部材と後部材とを連結する連結部材と、連結部材上に立設された基台プレートとから構成され、基台部を構成する後部材に多数の突起物を形成したことを特徴とする請求項１乃至請求項４のいずれか１項に記載のペダル式トレーニング器具。
【請求項６】
基台部が、前後に離間配置された前部材及び後部材と、前部材と後部材とを連結する連結部材と、連結部材上に立設された基台プレートとから構成され、基台プレートに空気孔を設けたことを特徴とする請求項１乃至請求項５のいずれか１項に記載のペダル式トレーニング器具。
【発明の詳細な説明】
【技術分野】
【０００１】
本発明は、ペダル式トレーニング器具に関するものである。
【背景技術】
【０００２】
従来、屋内等に設置され、主に下半身をトレーニングするために利用されるペダル式トレーニング器具は、例えば１００ｋｇ程度の体重を支持する必要があるため鋼管等の金属パイプで器具の骨組が構成され、この骨組に樹脂製等のペダルやハンドル、サドル等といった必要な部材を取り付けたものが殆どである。また、このようなペダル式トレーニング器具に関し、サドル部を揺動させることで下半身のみならず全身を効率的に運動できる器具についての技術が、下記特許文献１に記載されている。
【０００３】
【特許文献１】特開２００２−２１００３７号公報
【発明の開示】
【発明が解決しようとする課題】
【０００４】
しかし、骨組みが金属製のペダル式トレーニング器具は、器具全体の重量が重いので、力の弱い高齢者や女性、子供等がこのペダル式トレーニング器具を移動させるのは大変である。また、金属アレルギーのある者は使用できない場合もあり、外観上も温かみに欠け、冷たく感じられ、デザイン性においても非常に高いとはいえない場合がある。更に、加齢のため体の機能が低下し継続的な軽い運動が欠かせない高齢者が屋内で手軽にトレーニングしようとする際、金属パイプ製のペダル式トレーニング器具を使用すると、ペダルを漕ぎ始める際等に脚部にかかる感触が固いものとなり、関節などへの負担が過大となってしまう。
【０００５】
本発明は、上記した従来の問題点に鑑みてなされたものであって、器具全体の重量が軽量化され、外観上も温かみがあり、デザイン性に優れ、ペダルを漕ぎ始める際に脚部にかかる感触が柔らかいペダル式トレーニング器具の提供を目的とする。
【課題を解決するための手段】
【０００６】
上記目的を達成するために、本発明に係るペダル式トレーニング器具は、サドル部とハンドル部を支持する基台部に、該基台部を貫通するクランク軸が回動自在に軸支され、クランク軸の両端に一対のペダル部が設けられたペダル式トレーニング器具において、少なくともペダル部が木材で構成されているものである。
【０００７】
また、前記構成において、サドル部が、サドルと、該サドルと基台部との間に介設されるサドル支持部とから構成され、サドル支持部、基台部、及びハンドル部が木材で構成されていることものである。
【０００８】
そして、前記した各構成において、基台部が、前後に離間配置された前部材及び後部材と、前部材と後部材とを連結する連結部材と、連結部材上に立設された基台プレートとから構成され、更に、ハンドル部が、ハンドルと、該ハンドルと基台部との間に介設されるハンドル支持部とから構成され、基台部の連結部材及びハンドル部のハンドル支持部とが木材の積層材で構成されているものである。
【０００９】
更に、前記した各構成において、基台部が、前後に離間配置された前部材及び後部材と、前部材と後部材とを連結する連結部材と、連結部材上に立設された基台プレートとから構成され、該連結部材に上向きに湾曲した湾曲部が設けられたものである。
【００１０】
更に、基台部が、前後に離間配置された前部材及び後部材と、前部材と後部材とを連結する連結部材と、連結部材上に立設された基台プレートとから構成され、基台部を構成する後部材に多数の突起物を形成したものである。
【００１１】
更に、基台部が、前後に離間配置された前部材及び後部材と、前部材と後部材とを連結する連結部材と、連結部材上に立設された基台プレートとから構成され、基台プレートに空気孔を設けたものである。
【発明の効果】
【００１２】
本発明に係るペダル式トレーニング器具によれば、少なくとも基台部に回動自在に軸支されたクランク軸の両端に設けられたペダル部が、木材で構成されているので、ペダルを漕ぎ始める際に脚部にかかる感触を柔らかくすることが可能であり、高齢者が使用する際に利用者の関節などへの負担が軽減できる。
【００１３】
また、サドルを支持するサドル支持部と、基台部と、ハンドル部とが木材で構成されている場合は、骨組みが金属製のペダル式トレーニング器具に比較して器具全体の重量が軽量化できペダル式トレーニング器具の移動も容易となり、また、利用者がトレーニングする際利用者の体が接触する部分に金属を全く使用していないため金属アレルギーのある者も使用でき、外観上も温かみがあり、デザイン性にも優れたものとすることができる。
【００１４】
更に、基台部の連結部材と、ハンドル部のハンドル支持部とを構成する木材が積層材である場合は、積層材は合板に比較して繊維方向と直角方向の負荷に対する強度が優れているため、最も負荷のかかる基台部の連結部材及びハンドル部のハンドル支持部の強度を高くすることができると共に、軽薄短小であっても強度が維持できるので全体を軽量化することが可能となる。
【００１５】
そして、連結部材に上向きに湾曲した湾曲部を設けた場合は、１００ｋｇといった体重を支持する際、下向きの負荷に対して連結部材の強度を維持することができるとともにデザイン性も優れたものとすることができる。
【００１６】
そして、基台部を構成する後部材に多数の突起物を形成した場合は、多数の突起物により足の裏を刺激することで、ペダルを漕ぐトレーニングと合わせて足踏み運動をも行うことができ、利用者の健康促進に役立てることができる。
【００１７】
そして、基台部を構成する基台プレートに空気孔を設けた場合は、基台プレートによって覆われた負荷装置が発熱しても、発生した熱を空気孔から外部に放出することができる。よって、ペダル式トレーニング器具を使用して負荷装置が発熱しても基台プレートは常温を維持することができ、安全に利用することができる。
【発明を実施するための最良の形態】
【００１８】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るペダル式トレーニング器具１の斜視図、図２は前記ペダル式トレーニング器具１の側面図である。図１において、この実施形態に係るペダル式トレーニング器具１は、基台部２、ペダル部３、ハンドル部４、及びサドル部５からなる。
【００１９】
基台部２は、前部材６、後部材７、連結部材８、基台プレート９、及びプレートカバー１０からなる。前部材６及び後部材７は、共に断面略円形状の棒状部材である。これら前部材６及び後部材７は、ペダル式トレーニング器具１を設置床面に安定に設置するため、長手方向を左右に向けて略平行に前後離間して配置され連結部材８を介して連結されている。
【００２０】
後部材７の上面には左右両端から連結部材８が連結された長手方向中央部分近傍にわたって多数の突起物３３，３３，３３，・・・が形成されている。即ち、後部材７の長手方向の全長は５００ｍｍ〜５４０ｍｍであるところ、左右両端からそれぞれ長手方向中央部分に向かって４０ｍｍ〜８０ｍｍ程度の部分と、左右両端からそれぞれ長手方向中央部分に向かって１７０ｍｍ〜２１０ｍｍ程度の部分との間に多数の突起物３３，３３，３３，・・・が形成されている。この突起物３３，３３，３３，・・・は後部材７の前後方向に３列〜５列程度並べて配置され、突出高さや形状の異なる突起が不規則に配置された構造を有する。
【００２１】
連結部材８は断面が略矩形状の棒状部材であり、連結部材８の前端から全長の略１０分の１の部分から略２分の１の部分にわたり上向きに湾曲した湾曲部１９が設けられている。湾曲部１９は曲率半径（Ｒ１）が４００ｍｍ〜８００ｍｍ、好ましくは６００ｍｍ〜７００ｍｍである。
【００２２】
連結部材８上には連結部材８の左右両側面に沿って側面視略半円状の薄板である基台プレート９，９が立設され、基台プレート９，９の半円弧状の外周に沿い前方から後方にかけて基台プレート９，９の外周をプレートカバー１０が覆い、基台プレート９，９及びプレートカバー１０により筐体２５が形成されている。基台プレート９，９のプレート面の後部には筐体２５内に収容された負荷装置１５から発生する摩擦熱筐体２５外へ放出するための空気孔３４，３４，３４がそれぞれ３カ所形成されている。
【００２３】
また、基台プレート９，９のプレート中央部には基台プレート９，９を水平方向に貫通するよう孔（図示せず）が形成され、この孔からクランク軸１１の左右両端が突出している。クランク軸１１は連結部材８上に載置され筐体２５内に収容されたクランク軸支持部材２９，２９により回動自在に軸支されている。更に、筐体２５の内部には図１及び図２においてそれぞれ破線で示す負荷装置１５が収容されている。
【００２４】
図３に筐体２５内部に収容された負荷装置１５の部分拡大図を示す。図３に示すように、負荷装置１５は円盤状の回転体３１の外周面に負荷ベルト３０が巻装された構造を有し、負荷ベルト３０の一端はプレートカバー１０に固定され、他端は弾性体３２を介してワイヤー２６と連結され、ワイヤー２６はプレートカバー１０の前部を貫通してハンドル支持部１７に沿って延設され、ハンドル支持部１７に設られた負荷調整ダイヤル２７に連結されている。負荷装置１５の負荷量の調整は、利用者が回転操作可能な負荷調整ダイアル２７の回転位置に従って行なわれ、例えば、負荷調整ダイアル２７を右方向に回転させると、負荷調整ダイアル２７とワイヤー２７によって連結されている弾性体３２の弾性負荷量が増加する。そして、この弾性体３２によって負荷ベルト３０が前方に引っ張られ、負荷ベルト３０と回転体３１との間に生じる摩擦量が増加し機械的なブレーキ負荷が増える。
【００２５】
なお、負荷装置１５としてはこのような機械的なブレーキ負荷によるものに限定されず、渦電流を利用したものや、負荷装置へ供給される電力を調整することでブレーキ負荷量が変更されるものでもよく、油圧などにより制動量を可変としたものでもよい。
【００２６】
前部材６、後部材７、連結部材８、基台プレート９、及びプレートカバー１０はいずれも木材により構成されており、特に連結部材８、基台プレート９、及びプレートカバー１０は木材の積層材により構成されている。積層材とは単板積層材又はＬＶＬ（Laminated Veneer Lumber）ともいわれ、積み重ねられる全ての単板（ベニヤ）の繊維方向を略同じ方向に向けて積層接着したものである。これに対し、いわゆる合板とは積み重ねられる単板の繊維方向を互いに直交させて積層接着したものであり、各方向の強度のバランスや寸法安定性は良いが、繊維方向である長手方向に直角な負荷に対する強度に関しては積層材の方が優れている。
【００２７】
更に、本実施形態にかかるペダル式トレーニング器具１の連結部材８、基台プレート９、及びプレートカバー１０は、上記積層材の中でも特に格段に優れた強度を有する硬化積層材により構成されている。硬化積層材は強化木ともいわれ、寸法安定性もよく、長手方向のみならず全ての方向について優れた強度を有し、また年輪のような美しい木目が形成されるために、デザイン性も向上する。
【００２８】
硬化積層材の製造方法は、平板状の乾燥された単板に、水、メタノール、或いはエタノール等の溶剤に溶解された低分子量のフェノール樹脂を含浸させ、自然乾燥した後、６０℃〜８０℃の温度で強制乾燥し、これらの単板をそれぞれの繊維方向が略平行となるように積層する。更に、所定の寸法に切断し、切断した積層物を最終成形品の形状とするよう所定部分を所定角度湾曲させた雄金型に載置し、雌金型で押さえ、次いで、１００ｋｇ／ｃｍ2〜２００ｃｍ2／ｋｇの高圧、及び１４０℃〜１６０℃の高温下において数十分圧縮硬化させ、冷却後解圧するといった方法により行う。
【００２９】
クランク軸１１の両端には左右一対のペダル部３，３が設けられている。ペダル部３，３は、クランク軸１１と略垂直に一対のクランクアーム１２，１２が各々の位相を１８０°ずらして延設されており、更に各クランクアーム１２，１２の先端には略水平方向にペダル軸１３，１３が取り付けられ、ペダル軸１３，１３にペダル１４，１４が回動自在に軸支されている。ペダル部３のクランクアーム１２及びペダル１４は木材により構成されており、ペダル１４は上記積層材即ち硬化積層材により構成されている。
【００３０】
ハンドル部４は、ハンドル１６と、該ハンドル１６と基台部２との間に介設されるハンドル支持部１７とから構成されている。ハンドル１６及びハンドル支持部１７は共に上記した木材の積層材、即ち硬化積層材により構成されている。ハンドル１６について図２におけるＡ―Ａ線矢視断面を図４に示す。
【００３１】
図４に示すように、ハンドル１６は、断面が略矩形状の棒状部材が両先端部より全長の４分の１程度の位置で曲率半径（Ｒ４，Ｒ５）が３０ｍｍ〜７０ｍｍ、より好ましくは４０ｍｍ〜６０ｍｍとなるよう湾曲された構造を有する。また、ハンドル１６の左右の把持部２８，２８は、運動時握力の弱いものであっても握りやすいものとするため、湾曲した位置より、先端にいくに従い徐々に径幅が細くなっている。更に、運動時の発汗によりハンドル１６を握る際に利用者の手が滑ったりしないよう凸部３５，３５，３５・・・が設けられている。
【００３２】
この凸部３５，３５，３５，・・・は単板のフェノール樹脂への含浸、積層、高圧高温下での圧縮硬化、冷却、解圧という一連の行程が終了した後、ハンドル１６の把持部２８の上面、外側面、下面に長さ５ｃｍ〜１２ｃｍ、幅５ｍｍ〜１２ｍｍの溝を形成する。そして、この溝に合うよう直径２ｍｍ〜８ｍｍの棒状部材を嵌合し、接着したものである。
【００３３】
ハンドル支持部１７は下端が基台部２のプレートカバー１０の前方に固定され、下端からハンドル支持部１７全長の略５分の３の位置で曲率半径（Ｒ２）が２００ｍｍ〜３００ｍｍ、より好ましくは２３０ｍｍ〜２８０ｍｍで前向きに湾曲している。また、ハンドル支持部１７上端には例えば液晶表示器等を備える薄形のコントロールパネル１８が設けられている。このコントロールパネル１８は運動時間、負荷量や消費カロリー等を表示する。また、ペダル式トレーニング器具１のコントロールパネル１８近傍には、負荷装置１５からの検出信号等を入力し、記憶し、制御を行うマイクロコンピュータ等で構成される制御部（図示せず）が配設されている。
【００３４】
サドル部５は、サドル２０、サドルポスト２２、クランプ２４、及びサドル支持部２１とから構成されている。サドル支持部２１は、サドル２０と基台部２との間に介設され、基台部２のプレートカバー１０上に支持部連結材２３を介して垂直方向から約４５°後ろ向きに傾斜して立設されている。サドル支持部２１の上端開口に、サドル２０を支持するサドルポスト２２の下端部がスライド自在に嵌入され、このサドルポスト２２は、締緩自在のクランプ２４により所定のスライド位置で固定され、サドルポスト２２の上端に取り付けられたサドル２０を高さ調整自在に支持している。サドル２０上面は水平より若干前方が上向きに、後方が下向きに傾斜している。ここで、サドル２０及びサドル支持部２１は木材により構成され、サドル２０は上記した積層材、即ち硬化積層材により構成されている。
【００３５】
支持連結部材２３はハンドル支持部１７とサドル支持部２１とを連結し、両支持部を補強している。この支持連結部材２３は断面略矩形状の棒状部材であり、支持連結部材２３の一端はハンドル支持部１７に螺止され、ハンドル支持部１７の傾斜角度に沿って湾曲し、次いで、プレートカバー１０の曲面に沿って湾曲し、他端は基台部２のプレートカバー１０に螺止されている。そして、支持連結部材２３の長手方向中間部分でサドル支持部２１が長手方向と略直角に取り付けられ支持されている。支持連結部材２３は上記木材の積層材、即ち硬化積層材により構成されている。
【００３６】
引続き、ペダル式トレーニング器具１による動作につき、以下に説明する。ペダル式トレーニング器具１の利用者はサドル２０に腰掛け、ハンドル１６の把持部２８を握り、ペダル１４を漕ぐ。すると、ペダル部３はクランク軸１１を中心として所定の負荷のかかった回転運動を行う。その際、ペダル部３が木材で構成されているので、使用時ペダル部３が適度に撓い、ペダル１４を漕ぎ始める際のトルクが小さくなり、脚部にかかる感触を柔らかくすることが可能となる。これにより、高齢者等が使用する際に関節などへの負担が軽減できる。
【００３７】
また、基台部２の前部材６、後部材７、連結部材８、基台プレート９、及びプレートカバー１０と、ペダル部３のペダル１４及びクランクアーム１２と、サドル部５のサドル２０及びサドル支持部２１と、ハンドル部４のハンドル１６及びハンドル支持部１７とが木材で構成されているので、骨組みのほとんどが金属製であるペダル式トレーニング器具に比較して器具全体の重量が軽量化できる。即ち、通常の骨組みが金属製のペダル式トレーニング器具の重量が２５ｋｇ〜３０ｋｇ程度であるのに対し、本実施形態に係る骨組みが木製のペダル式トレーニング器具１は重量が１８ｋｇであるため、ペダル式トレーニング器具１本体の移動が容易となる。
【００３８】
そして、利用者がトレーニングする際適度に木材が撓うため、利用者の動作に応じて器具から受ける感触が柔らかくなると共に、利用者の体が接触する部分に金属を略全く使用していないため金属アレルギーのある者も使用できることとなる。更に、外観上も温かみがあり、デザイン性においても優れたものとすることができる。
【００３９】
基台部２の連結部材８、基台プレート９、及びプレートカバー１０、ペダル部３のペダル１４、ハンドル部４のハンドル１６及びハンドル支持部１７、サドル部５のサドル２０、及び支持部連結部材２３が木材の積層材で構成されている。そして、積層材は合板よりも、繊維方向である長手方向に直角な負荷に対する強度に優れているため、各部の繊維方向である長手方向に直角な負荷に対し強度を高く維持できる。
【００４０】
上記積層材を硬化積層材としたので、積層材により構成される各々の部材が繊維方向に直角な方向の負荷のみならず、全ての方向の負荷に対し高い強度を維持できる。加えて、上記の製法により各部の積層材を製造すれば、塊状の木材を湾曲した形状に切削して製造する場合と比較して材料の無駄や加工の手間を軽減できる。
【００４１】
更に、同じ強度を保有する場合、金属製よりも木材製の構造の方が軽量化することが可能となり、ペダル式トレーニング器具１の移動が容易となる。また、全体の外観上も均一性があって、まとまりのある落ち着いた印象を与えることができる。
【００４２】
また、支持連結部材２３はハンドル支持部１７及びプレートカバー１０とそれぞれ螺止されているが、通常の木製部材を螺止する場合のように歪みやずれが生じるといったことがない。即ち、本形態のペダル式トレーニング器具１の支持連結部材２３及びハンドル支持部１７、プレートカバー１０は積層材、特に硬化積層材を用いているので螺子により締め付け、螺止しても各部材に歪みが生じにくく、丈夫な構造とすることが可能である。
【００４３】
そして、連結部材８に上向きに湾曲した湾曲部１９を設けたので、１００ｋｇといった体重を支持する際、下向きの負荷に対して連結部材８の強度を更に高くすることができるとともに、デザイン性も優れたものとすることができる。
【００４４】
そして、一般に利用されている折りたたみ式のペダル式トレーニング器具においては、ペダル部が前後のフレームのうち前側のフレームに取り付けられていることが多い。このようなペダル式トレーニング器具においてはペダル部とサドル位置との前後の距離が長くなり、トレーニングの際利用者の腰等への負担が大きくなる恐れがある。しかし、本形態のペダル式トレーニング器具１は、ペダル部３が基台部２の基台プレート９のプレート中央部に設けられているので、ペダル部３とサドル２０位置との前後の距離が短くなり、トレーニングの際の腰等への負担が軽減できる。
【００４５】
そして、基台部２を構成する後部材７に多数の突起物３３，３３，３３・・・を形成したので、多数の突起物３３，３３，３３，・・・により利用者の足の裏を刺激することで、ペダル１４を漕ぐトレーニングと合わせて足踏み運動をも行うことができ、利用者の健康促進を図ることができる。
【００４６】
そして、基台部２を構成する基台プレート９，９に空気孔を設けたので、基台プレート９，９及びプレートカバー１０によって形成された筐体２５内に収容された負荷装置１５が発熱しても、発生した熱を空気孔３５，３５，３５，・・・から外部に放出することができる。よって、ペダル式トレーニング器具１を使用して負荷装置１５が発熱しても基台プレート９，９は高温になるといったことがなく、常温を維持することができる。従って、利用者はペダル式トレーニング器具１を安全に利用することができる。
【００４７】
尚、上記実施形態においては、積層材に硬化積層材を用いたが、これに限定されるものではなく、積層材にフェノール樹脂を使用しない一般的な積層材を用いても良い。フェノール樹脂を使用しない一般的な積層材はフェノール樹脂の含浸工程に換えて、水性ビニルウレタン等の接着剤を単板表面に塗布する工程を有し、更に、高温高圧下での圧縮硬化工程を行わず、常温常圧下で乾燥するといった方法により製造される。この一般的な積層材においても、塊状の木材を湾曲した形状に切削して製造する場合と比較して材料の無駄や加工の手間を軽減できるという利点がある。
【図面の簡単な説明】
【００４８】
【図１】本発明の一実施形態に係るペダル式トレーニング器具の斜視図
【図２】前記ペダル式トレーニング器具の側面図である。
【図３】前記ペダル式トレーニング器具の負荷装置の部分拡大図である。
【図４】図２におけるＡ−Ａ線矢視断面図である。
【符号の説明】
【００４９】
１  ペダル式トレーニング器具
２  基台部
３  ペダル部
４  ハンドル部
５  サドル部
６  前部材
７  後部材
８  連結部材
９  基台プレート
１１  クランク軸
１６  ハンドル
１７  ハンドル支持部
１９  湾曲部
２０  サドル
２１  サドル支持部
【図１】
2007289241.tif 000003
【図２】
2007289241.tif 000004
【図３】
2007289241.tif 000005
【図４】
2007289241.tif 000006